(57)【特許請求の範囲】
【請求項１】
遠方端を有するシャフトと、このシャフトの遠方端に位置する終端効果器を備える手術具であって、前記終端効果器は、
第１および第２の相対向する組織接触面をそれぞれ有する第１および第２の顎部材であって、組織を前記組織接触面の間に位置させるための互いに離隔した開放位置から、前記組織接触面の間に可変の間隙を区画して組織を前記組織接触面の間において接近させるための閉止位置に互いに移動することができる第１および第２の顎部材と、
前記組織接触面に対して移動することができ、前記組織接触面の間において接近させた組織を分断する切断部材と、を備え、
前記切断部材は、前記第１と第２の組織接触面の間の前記可変の間隙内に適合するように大きさを調整できる、手術具。
【請求項２】
前記組織接触面の少なくとも一方は、電気手術用エネルギーを受け取る第１の導電部を有する、請求項１記載の手術具。
【請求項３】
前記組織接触面の少なくとも一方は、前記第１の導電部から電気的に離隔され前記第１の導電部とは異なる電位をもつ第２の導電部を有し、これら第１および第２の導電部はバイポーラの電気手術用エネルギーを受け取る、請求項２記載の手術具。
【請求項４】
前記切断部材は、第１および第２の切断用ブレードを備える、請求項１記載の手術具。
【請求項５】
前記切断部材が前進する際に前記第１および第２の切断用ブレードは互いに重なって組織を剪断するように構成されている、請求項４記載の手術具。
【請求項６】
前記終端効果器は、手前部と遠方部、および手前側から遠方側へ延びる長手軸をさらに有し、前記切断部材が前進したとき、前記長手軸の周りで前記切断部材が振動する、請求項１記載の手術具。
【請求項７】
前記切断部材は、それが広がる方向に付勢された一個もしくはそれ以上のばね部材を備える、請求項１記載の手術具。
【請求項８】
前記第１および第２の顎部材の少なくとも一方は、前記切断部材を収めるための溝を含む、請求項７記載の手術具。
【請求項９】
前記溝は振動面を含み、また前記ばね部材は前記振動面に向けて付勢される、請求項８記載の手術具。
【請求項１０】
前記シャフトは長手軸をさらに含み、前記第１および第２の顎部材は前記長手軸に対して湾曲している、請求項１記載の手術具。
【発明の詳細な説明】
【０００１】
本出願は、米国特許出願第08/382,463号（１９９５年２月３日出願）の一部継続出願である。
【０００２】
【発明の属する技術分野】
本発明は、手術の際組織を切断する医療器具に係り、特に電動式で組織を取扱う電気手術具に関する。
【０００３】
【従来の技術】
従来から、簡単な挟み付け・切断具は、業界で知られており、手術においても用いられている。例えば、直線状の切断・ホチキス装置は、ホチキス針を適用して、ナイフで組織を切断するとき、組織を捕らえ、把持する二つの顎部材と終端効果器を有する。このような装置においては、両顎部は、典型的には、隙間ピンで離隔された所定の隙間を開けて互いに閉じ、ナイフは、組織をホチキス止めしている間に切断できるよう、両顎部に形成されたナイフチャネルを通って進む。
【０００４】
電気焼灼装置は、組織と血管を熱して凝集もしくは焼灼を生じさせることにより、止血を効果的に行う際に使用されてきた。そして、単極（モノポーラ）の電気焼灼装置は、切断あるいは焼灼器に接続する電極を一個と、通常患者の体外に接着される遠隔戻り電極を一個用いるが、最近では、焼灼電流が、焼灼装置の組織取扱い部にある二つの電極の間にある組織だけに適用されるという利点から、バイポーラ型の装置も用いられている。
【０００５】
ところで、種々の手術において、切断および／または凝集用に、バイポーラ型の鉗子が用いられている。バイポーラ型の鉗子は、一般に二つの極の間に組織を把持し、この把持した組織を通じて電流を印加する。
【０００６】
米国特許第4,655,216 号は、生検試料を捕らえるのに、回動する挟みに似た切断作用をする生検用の組織を切断する装置を備えた電気手術用の把持装置を開示している。組織の把持に用いる両顎は、把持した組織に電気焼灼エネルギーを供給する。
【０００７】
本出願人の米国特許出願第08/95,797 号は、組織を抑えつけて、間に把持した組織に電気手術エネルギーを印加する二つの顎部材を有する電気手術装置を記載している。切断部材は、両顎部材の間を移動して、これらの間に把持された組織を切断する。
【０００８】
【発明が解決しようとする課題】
公知の種々の組織切断装置における欠点の一つは、これらの装置が、種々の大きさ（両顎部材を含む終端効果器の大きさに比して）の組織を取扱い（例えば電気手術具により）、また切断できる鉗子状の組織凝集装置と一緒には使えないことである。第二の欠点は、公知の装置における切断手段は、鉗子状の両顎部材の把持面を越えて延びるため、両顎部材で把持した箇所より外側にある組織を不注意で切断するおそれがあることである。
このため、種々の厚みをもつ組織を挟み付けて手際よく切断することができ、また切断する予定のない隣接する組織には近づくことのない切断手段を有する装置が求められている。
【０００９】
【課題を解決するための手段】
そこで、本発明は、組織を把持、挟み付けあるいは近置する挟み付け装置を提供する。終端効果器、すなわち装置の組織を把持、挟み付けあるいは近置する部分は、両顎部材と、これらの両顎部材で把持ないし挟み付けた組織の大きさに呼応して広くなったり狭くなったりする拡張可能なナイフあるいは切断部材を備える。一つの態様においては、この切断部材は、重なり合って一つの切断用のブレード（刃）を構成するブレード部材を備える。このブレード部材は、両顎部材が開放したとき、両ブレード部材が互いに離れるように広がり、お互いに重なり合う領域を減らして切断に係る部分の面積を広くするよう、お互いに離れ合って両顎部材に形成された溝に入り込むよう押圧されている。他方、両顎が互いに閉じたときは、両ブレードの重なり合う部分が増大し、これに対応して、ブレードの切断に係る部分にある両顎部材の間の隙間にぴったり合うよう、このブレードの切断に係る部分の面積が減少する。この装置はまた、顎部材の長さ方向において変化する両顎部材間の隙間に対応できる切断部材を提供する。
【００１０】
好ましい態様においては、終端効果器の両顎部材に係合された組織に電気手術用のエネルギーを送る電気手術具が提供される。そして、拡張可能なナイフは、好ましくは電気手術用のエネルギーが組織に送られた後、両顎部材に係合された組織を切断する。
【００１１】
これら本発明の目的は、添付の図面を参照した以下の詳細な説明により、よく理解されるであろう。
【００１２】
【発明の実施の形態】
図１〜７には、本発明に係る締め付け・切断装置１０を示す。装置１０は、ハウジング１１、このハウジング１１から遠方側に延びる中空の鞘１２、電気絶縁性の材料からつくられ鞘１２を通って延びる顎閉止チューブ１５、およびこの顎閉止チューブ１５の遠方端から延びる組織締め付け用の両顎部材１６，１７を具備する。顎部材１６と１７は、閉止チューブ１５をそれぞれ顎部材１６，１７のカム面１６ａ，１７ａの上方に進めると同時に、お互いの方向に向けて閉じ、組織を間に近置する相対向する面１８と１９を含む。顎部材１６，１７はそれぞれ、切断部材２２が両顎部材１６，１７を通って進むとき、切断部材を収める溝２０，２１を形成される。切断部材２２は、遠方端で離隔される突起２２，２３を含む。各突起２３，２４の遠方端はそれぞれ、切断ブレード２５，２６となる。
【００１３】
ブレード２５，２６は、切断部材２２が顎部材１６，１７を通って進むとき、それぞれ溝２０，２１の中に収まるように形成される。突起２３，２４は、ブレード２５，２６が組織剪断用の剪断あるいは切断部材５０を形成するように、互いに重なり合う。ブレード２５，２６は、突起２３，２４が重なったとき、ブレード２５，２６がＶ字形の剪断部材を形成するように角度を付けられる。突起２３，２４は、両顎部材１６，１７の間の隙間が拡がるとき（すなわち厚い組織を挟んだとき）には、ブレード２５，２６が互いに離れる傾向をもつよう、突起２３，２４の一方または両方を他の突起から引き離す方向に押圧するばねを備える。隙間が拡がるときには、重なり合う面積は狭まり、切断部材５０の大きさは、図５に示すように、拡張ないし増大する。そして、隙間が重なり部分の面積を減少させると、図４に示すように、切断部材５０の大きさは収縮ないし減少する。
【００１４】
顎部材１６，１７はそれぞれ、面１８，１９の一部を構成する電極３３，３４を具備する。この好ましい態様においては、二つの電極は、把持する組織が薄手のものだったり、組織が電極の間でアーク放電を防止する場合に、互いに接触することのないよう、互いに食い違って配置される。電極３３は、電極３４とは異なる電気的ポテンシャルをもつ。ゼネレータ３５は、電極３３，３４に電気手術用のエネルギーを与え、ユーザが制御するフットスイッチによって作動される。ゼネレータ３５は、バイポーラエネルギーを供給できる電気手術ユニットであることが好ましい。エネルギーは、ハウジング１１を介して、接片３８，３９に連結するワイヤ３７を通して供給される。接片３８，３９は、閉止チューブ１５の電気的に離隔された導電部分４８，４９に接続する。
【００１５】
回転ノブ２８は、ハウジング１１から延び出る。このノブ２８は、両顎部材１６，１７に係合する鞘１２と閉止チューブ１５に係合する。ノブ２８は、顎部材１６，１７を組織を把持し挟み付ける位置まで回転させるときに使う。
【００１６】
組織が顎部材１６と１７の間の位置に来ると、顎部材１６，１７は一緒に閉じ、組織を、これら顎部材１６，１７の相対向する面の間に捕らえる。回動するハンドル部材３０は閉止チューブ１５に連結され、両顎部材を一緒に閉止するため、閉止チューブ１５に対する連結部４０を通る、カム面１６ａ，１７ａの上方の長手方向に並進的な運動を与えるよう回動軸４１の回りで回転する。ついで、フットスイッチ３６を作動すれば、電気手術用のエネルギーが供給される。
【００１７】
電気手術エネルギーが供給され、組織に所望の程度電気手術が施されたら、切断部材２２は、係合した組織を切断するよう前進させられる。切断部材は、ハウジング１１の外側からハウジング１１にある閉止チューブ１５の中まで延びるプッシュノブ３１によって作動される。プッシュノブ３１はついでドライブロッド２９に連結されるが、このドライブロッド２９は、閉止チューブ１５を通って延び、このドライブロッド２９の遠方端において切断部材２２に連結する。閉止チューブ１５に位置するばね部材３２は、プッシュノブ３１の遠方端および両顎部材１６，１７の手前端２７に接する。ばね部材３２は、プッシュノブ３１が解放されたとき、切断部材２２を自動的に後退させる。
【００１８】
図８には、本発明の他の態様を示す。両顎部材１１６，１１７にある溝１２０，１２１は、波打った振動面１４１，１４２を含む。切断部材１２２が手前側から遠方側に進むと、切断部材１２２の切断ブレード１２５，１２６は、ブレード１２５，１２６を長手軸１５０についてお互いの方向に振動させる組織接触面１４１，１４２と接触する。こうして、組織接触面１４１，１４２は、切断ブレード１２５，１２６に、振動面の波の大きさと形状に依存する大きな切断効果を与える（例えば波の個数が多い小さな波は大きな振動効果を与え、波長の長い波ははさみ状の大きな切断効果を与える）。
【００１９】
図９には、本発明のもう一つの態様を示す。鞘２１２は、装置２１０に沿って手前側から遠方側に延びる長手軸を区画する。両顎部材２１６，２１７は、操作の度合いを大きく、また内視鏡による視認を容易にするため、終端効果器たる両顎部材が湾曲した形状をもつよう、この長手軸に対して湾曲している。回転ノブ２２８は、鞘２１２に連結する。そして、切断部材２２２は、鞘２１２に摩擦係合整合する。このため、鞘２１２が回転すると、切断部材２２２も回転し、固定した（包囲を再設定することは可能）湾曲顎は適切に組織を把持することができる。
【００２０】
以上、本発明に係る組織締め付け・切断手術具の態様をいくつか説明してきたが、本発明は、組織の締め付け・切断・凝集が必要な場合に多くの用途をもつ。そこで、当業者ならば、特許請求の範囲に謳った本発明の範囲およびその均等範囲の中で種々の変形例を想起できるであろう。
【００２１】
本発明の具体的な実施態様は以下の通りである。
Ａ）  遠方端を有するシャフトと、このシャフトの遠方端に位置する終端効果器を備える手術具であって、前記終端効果器は、
第１および第２の相対向する組織接触面をそれぞれ有する第１および第２の顎部材であって、組織を前記組織接触面の間に位置させるための互いに離隔した開放位置から、前記組織接触面の間に可変の間隙を区画して組織を前記組織接触面の間において接近させるための閉止位置に互いに移動することができる第１および第２の顎部材と、
前記組織接触面に対して移動することができ、前記組織接触面の間において接近させた組織を分断する切断部材と、を備え、
前記切断部材は、前記第１と第２の組織接触面の間の前記可変の間隙内に適合ように大きさを調整できる、手術具。
１）前記組織接触面の少なくとも一方は、これら組織接触面を通じて送られる電気手術エネルギーを受け取る第１の導電部を有する上記実施態様Ａ）記載の手術具。
２）前記組織接触面の少なくとも一方は前記第１の導電部とは電気的に離隔されかつ第１の導電部とは電気的に反対の極をなす第２の導電部を有し、これら第１および第２の導電部はバイポーラの電気手術用エネルギーを受け取る上記実施態様１）記載の手術具。
３）前記第１の導電部は、前記組織接触面において、前記第２の導電部とは食い違って配置される上記実施態様２）記載の手術具。
４）前記切断部材は、第１および第２の切断用ブレードを備える上記実施態様Ａ）記載の手術具。
５）前記手術具は、前記切断部材が前進する際前記ブレードの間で挟み状の切断作用を行う上記実施態様４）記載の手術具。
６）前記終端効果器はさらに、手前部と遠方部、および手前側から遠方側へ向けてこの終端効果器を通って延びる長手軸を具備し、前記切断部材が前進したとき、前記手術具は、前記終端効果器の長手軸の周りで前記切断部材に振動を生じさせる上記実施態様Ａ）記載の手術具。
７）前記切断部材は、この切断部材を延び出させる方向に付勢された一個もしくはそれ以上のばね部材を具備する上記実施態様Ａ）記載の手術具。
８）前記顎部材の少なくとも一方は、前記切断部材を収めるための溝を含む上記実施態様７）記載の手術具。
９）前記溝は振動面を含み、また前記ばね部材はこの振動面に向けて付勢される上記実施態様８）記載の手術具。
１０）前記各ばね部材は、遠方端と、この遠方端に形成されるブレードを含む上記実施態様７）記載の手術具。
【００２２】
１１）前記第１および第２の顎部材はそれぞれ、前記ばね部材のブレードを収める溝を含む上記実施態様１０）記載の手術具。
１２）前記溝の一方もしくは両方は振動面を含み、前記ばね部材は、これら振動面のそれぞれに向けて付勢される上記実施態様１１）記載の手術具。
１３）前記シャフトはさらに長手軸を含み、前記顎部材はこの長手軸に対して湾曲している上記実施態様Ａ）記載の手術具。
【００２３】
【発明の効果】
以上のように、本発明によれば、種々の厚みをもつ組織を挟み付けて手際よく切断することができ、また切断する予定のない隣接する組織には近づくことのない切断手段を有する締め付け・切断用の手術具を得ることができる。
【図面の簡単な説明】
【図１】本発明の好ましい態様に係る締め付け・切断および凝集装置の側面断面図。
【図２】図１の装置の２−２線に添った正面断面図。
【図３】図１に示した装置の両顎部材の拡散分解図。
【図４】図１に示した装置を薄手の組織に適用した場合の装置遠方端の側面図。
【図５】図１に示した装置を厚手の組織に適用した場合の装置遠方端の側面図。
【図６】図４の正面端面図。
【図７】図５の正面端面図。
【図８】本発明の他の態様に係る締め付け・切断および凝集装置の遠方端の側面断面図。
【図９】本発明のさらに他の態様に係る締め付け・切断および凝集装置の遠方端の平面断面図。
【図１】
0003895393.tif 000002
【図２】
0003895393.tif 000003
【図３】
0003895393.tif 000004
【図４】
0003895393.tif 000005
【図５】
0003895393.tif 000006
【図６】
0003895393.tif 000007
【図７】
0003895393.tif 000008
【図８】
0003895393.tif 000009
【図９】
0003895393.tif 000010